(57)【要約】【課題】屋内側への水の浸入を確実に防止することができる建物の壁排水構造を提供する。【解決手段】建物１０において横並びで隣り合う外壁パネル１５間の縦目地には、当該縦目地に沿って上下に延びるガスケット３３が配設されている。ガスケット３３は、その一部が縦フレーム材１８よりも下方に垂下された垂下部３９とされている。垂下部３９には排水部材４０が設けられている。排水部材４０は、筒状をなすとともに、その内部に排水通路４７を有している。排水通路４７には、垂下部３９が上方から入り込んでおり、垂下部３９から流れ落ちる水を排水通路４７に受け入れ、同通路４７を通じてガスケット３３よりも屋外側に導くことが可能となっている。【選択図】      図２
2014177771.tif 000002
【特許請求の範囲】
【請求項１】
横並びで隣り合う外壁パネル間の縦目地に、当該縦目地に沿って上下に延びる止水シールが配設されており、その止水シールに沿って流下する水を屋外へ排出する建物の壁排水構造であって、
筒状をなすとともに、その内部に前記止水シールから流れ落ちる水を受け入れて当該止水シールよりも屋外側へ導く排水通路を有する排水部材を備えることを特徴とする建物の壁排水構造。
【請求項２】
前記止水シールは、定形シールよりなり、
前記定形シールは、前記隣り合う外壁パネルにおいて前記縦目地を挟んで対向する各対向面の間に挟み込まれて設けられ、その一部が前記各対向面よりも下方に垂れ下がった垂下部となっており、
前記垂下部は前記排水通路に上方から入り込んでいることを特徴とする請求項１に記載の建物の壁排水構造。
【請求項３】
前記垂下部は、その上下方向の全域又は略全域が前記排水通路に入り込んでいることを特徴とする請求項２に記載の建物の壁排水構造。
【請求項４】
前記排水通路は、鉛直方向に延びる上流通路部と、その上流通路部の下端部から屋外側に延びる下流通路部とを有しており、
前記上流通路部に前記垂下部が上方から入り込んでいることを特徴とする請求項２又は３に記載の建物の壁排水構造。
【請求項５】
前記外壁パネルの下端部には、前記隣り合う外壁パネルに跨がって延びる水切部材又は見切り部材が設けられており、
前記水切部材又は前記見切り部材によって前記排水部材が屋外側から覆い隠されていることを特徴とする請求項１乃至４のいずれか一項に記載の建物の壁排水構造。
【請求項６】
前記外壁パネルの下方には、前記隣り合う外壁パネルに跨がって延びる基礎が設けられており、
前記排水通路の排水口は、前記基礎よりも屋外側に位置していることを特徴とする請求項１乃至５のいずれか一項に記載の建物の壁排水構造。
【請求項７】
前記基礎と前記外壁パネルとの間には、それら両者間の隙間を閉鎖するように防鼠部材が設けられており、
前記防鼠部材は、前記隣り合う外壁パネルに跨がって延びているとともに、前記排水部材を挿通させる挿通口を有しており、
前記排水部材には、前記挿通口に当該排水部材が挿通された状態で前記防鼠部材に取り付けられる取付部が設けられていることを特徴とする請求項６に記載の建物の壁排水構造。
【発明の詳細な説明】
【技術分野】
【０００１】
本発明は、建物の壁排水構造に関する。
【背景技術】
【０００２】
住宅等の建物において、複数の外壁パネルが横並びに設けられることで外壁が構成されている場合、それら外壁パネルの間には上下方向に延びる縦目地が形成される。縦目地には、当該縦目地を通じて屋内側に雨水等の水が浸入するのを阻止するために、ガスケットやシーリング材等の止水シールが設けられている。
【０００３】
この種の止水シールは、止水シールの経時劣化などによる水の浸入を考慮して、縦目地において二重に配設されることがある。このような二重シール構造を採用した場合、仮に一次止水シールが経時劣化などして水が一次止水シールを通過したとしても、その水を二次止水シールで受け止めることができるため、屋内側への水の浸入を阻止することができる。
【０００４】
ところで、かかる止水構造では、一次止水シールを通過して二次止水シールに達した水が二次止水シールに沿って流下し同シールの下端から下方に流れ落ちることとなる。その場合、その流れ落ちた水が屋内側に浸入するおそれがあり、建物内を濡らしてしまうといった不都合が発生することが懸念される。そこで、この対策として、特許文献１には、二次止水シールの下方に、同シールから流れ落ちた水を受け止めて屋外へと導く排水部材を設けた構成が開示されている。この排水部材は、断面コ字状をなしており、上下方向に延びる部分と、その下端部から屋外へ向けて延びる部分とを有している。排水部材において前者の部分はその溝部を屋外に向けて配置され、後者の部分はその溝部を上方に向けて配置されており、それら各溝部によって排水通路が形成されている。かかる構成によれば、二次止水シールから流れ落ちた水を排水通路で受け止めるとともに、同通路を通じて屋外へと導き排出することができるため、屋内側への水の浸入を防止することが可能となる。
【先行技術文献】
【特許文献】
【０００５】
【特許文献１】特開２００３−４１６９９号公報
【発明の概要】
【発明が解決しようとする課題】
【０００６】
しかしながら、上記特許文献１の排水部材は、その排水通路（溝部）が開放されているため、二次止水シールに沿って流下する水の量が多い場合には、その水が排水通路からあふれるおそれがある。その場合、そのあふれた水が建物内（屋内側）に浸入するおそれがある。したがって、上記特許文献１の技術は、依然として改善の余地がある。
【０００７】
本発明は、上記事情に鑑みてなされたものであり、屋内側への水の浸入を確実に防止することができる建物の壁排水構造を提供することを主たる目的とするものである。
【課題を解決するための手段】
【０００８】
上記課題を解決すべく、第１の発明の建物の壁排水構造は、横並びで隣り合う外壁パネル間の縦目地に、当該縦目地に沿って上下に延びる止水シールが配設されており、その止水シールに沿って流下する水を屋外へ排出する建物の壁排水構造であって、筒状をなすとともに、その内部に前記止水シールから流れ落ちる水を受け入れて当該止水シールよりも屋外側へ導く排水通路を有する排水部材を備えることを特徴とする。
【０００９】
横並びで隣り合う外壁パネル間の縦目地に止水シールが設けられている構成では、止水シールによって雨水等の水が屋内側に浸入するのを阻止することができる。この場合、止水シールによって屋内側への浸入が阻止された水は止水シールに沿って流下され、やがて止水シールから下方へと流れ落ちる。この点、本発明によれば、この流れ落ちる水が排水部材の排水通路に受け入れられ、その後同通路を通じて止水シールよりも屋外側に導かれ排出される。そのため、止水シールから流れ落ちた水が屋内側へ浸入するのを防止することができる。また、排水部材は筒状（管状）をなしており、その内側部分が排水通路となっているため、止水シールに沿って流下する水の量が多い場合でも、排水通路を流れる水を途中であふれさせることなく屋外へ導き排出することができる。その結果、屋内側への水の浸入を確実に防止することができる。
【００１０】
第２の発明の建物の壁排水構造は、第１の発明において、前記止水シールは、定形シールよりなり、前記定形シールは、前記隣り合う外壁パネルにおいて前記縦目地を挟んで対向する各対向面の間に挟み込まれて設けられ、その一部が前記各対向面よりも下方に垂れ下がった垂下部となっており、前記垂下部は前記排水通路に上方から入り込んでいることを特徴とする。
【００１１】
本発明によれば、止水シールとしての定形シールが隣り合う外壁パネルの対向面同士の間で挟み込まれて設けられ、その一部が対向面よりも下方に垂下されて垂下部となっている。そして、この垂下部が排水通路に上方から入り込んで設けられているため、定形シール（垂下部）から流れ落ちる水を確実に排水通路に導く（受け入れる）ことができ、ひいては確実に屋外へ排出することができる。
【００１２】
第３の発明の建物の壁排水構造は、第２の発明において、前記垂下部は、その上下方向の全域又は略全域が前記排水通路に入り込んでいることを特徴とする。
【００１３】
定形シールを流下する水は、必ずしも垂下部の下端部から流れ落ちるとは限らず、垂下部の中間部あるいは上部からも流れ落ちる可能性がある。そこで本発明では、この点に鑑みて、垂下部の上下方向全域を排水通路に入り込ませている。これにより、垂下部から流れ落ちる水をより一層確実に排水通路に導く（受け入れる）ことができ、ひいてはより一層確実に屋外へ排出することができる。
【００１４】
第４の発明の建物の壁排水構造は、第２又は第３の発明において、前記排水通路は、鉛直方向に延びる上流通路部と、その上流通路部の下端部から屋外側に延びる下流通路部とを有しており、前記上流通路部に前記垂下部が上方から入り込んでいることを特徴とする。
【００１５】
本発明によれば、垂下部が排水通路において鉛直方向に延びる上流通路部に上方から入り込んでいるため、垂下部を鉛直方向にまっすぐにした状態で排水通路に入り込ませることができる。例えば、上流通路部が屋外側に向けて下方傾斜して延びている場合等、垂下部を曲げた状態で上流通路部に入り込ませる必要がある場合には、その曲げた部分からの水の流れ落ちが懸念されるが、垂下部をまっすぐにした状態で上流通路部に入り込ませれば、そのような水の流れ落ちを抑制することができるため、垂下部に沿って流下する水を好適に排水通路に導くことができる。
【００１６】
第５の発明の建物の壁排水構造は、第１乃至第４のいずれかの発明において、前記外壁パネルの下端部には、前記隣り合う外壁パネルに跨がって延びる水切部材又は見切り部材が設けられており、前記水切部材又は前記見切り部材によって前記排水部材が屋外側から覆い隠されていることを特徴とする。
【００１７】
本発明によれば、外壁パネルの下端部に設けられた水切部材又は見切り部材によって排水部材が屋外側から覆い隠されているため、排水部材が屋外側に露出して建物の美観が損なわれてしまうのを防止することができる。
【００１８】
第６の発明の建物の壁排水構造は、第１乃至第５のいずれかの発明において、前記外壁パネルの下方には、前記隣り合う外壁パネルに跨がって延びる基礎が設けられており、前記排水通路の排水口は、前記基礎よりも屋外側に位置していることを特徴とする。
【００１９】
本発明によれば、排水通路の排水口が基礎よりも屋外側に位置しているため、止水シールから流れ落ちた水を基礎よりも屋外側に排出することができる。これにより、基礎の内側すなわち床下側に水が浸入するのを確実に防止することができる。したがって、床下に水が浸入することで、床下に湿気が溜まり床材の腐食を促進させるといった不都合が生じるのを確実に防止することができる。
【００２０】
第７の発明の建物の壁排水構造は、第６の発明において、前記基礎と前記外壁パネルとの間には、それら両者間の隙間を閉鎖するように防鼠部材が設けられており、前記防鼠部材は、前記隣り合う外壁パネルに跨がって延びているとともに、前記排水部材を挿通させる挿通口を有しており、前記排水部材には、前記挿通口に当該排水部材が挿通された状態で前記防鼠部材に取り付けられる取付部が設けられていることを特徴とする。
【００２１】
住宅等の建物では、基礎と外壁パネルとの間に、それら両者間を通じて鼠等の小動物が床下へ侵入するのを防止すべく防鼠部材が設けられている場合がある。ここで、基礎よりも屋外側に排水通路の排水口を設定した上記第６の発明の構成では、排水部材を基礎よりも屋外側まで延ばす必要があるため、防鼠部材が邪魔となる可能性がある。そこで本発明では、この点に鑑みて、防鼠部材に排水部材を挿通させる挿通口を形成している。これにより、防鼠部材が設けられている構成にあっても、排水部材を基礎よりも屋外側へ延ばすことができ、ひいては基礎よりも屋外側へ排水することができる。
【００２２】
また、本発明では、さらに排水部材を挿通口に挿通させた状態で防鼠部材に取り付けられる取付部が排水部材に設けられているため、排水部材を防鼠部材に対して取付支持させることができる。この場合、既設の防鼠部材を利用して排水部材を支持することができるため、排水部材を支持するための支持部材を別途設ける場合と比べて、構成の簡素化を図ることができる。
【図面の簡単な説明】
【００２３】
【図１】外壁の構成を示す横断面図。
【図２】外壁の下部周辺の構成を示す縦断面図。
【図３】建物ユニットを示す斜視図。
【図４】他の実施形態における外壁の構成を示す縦断面図。
【発明を実施するための形態】
【００２４】
以下に、本発明を具体化した一実施の形態について図面を参照しつつ説明する。本実施形態では、鉄骨ラーメン構造によるユニット式建物に本発明を具体化しており、そのユニット式建物は、周知のとおり複数の建物ユニットを結合させて構築されるものとなっている。これらの建物ユニットは、それぞれユニット製造工場にてあらかじめ製造され、その後、建築現場にトラック等により搬送される。そして、建築現場においてそれらの建物ユニットが基礎上において互いに結合され建物が構築されるものとなっている。そこでまず建物ユニットの構成について図３を用いて簡単に説明する。図３は建物ユニットを示す斜視図である。
【００２５】
図３は、建物ユニット２０の構成を示す斜視図である。図３に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。
【００２６】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。また、建物ユニット２０の側面には、外壁パネル１５（図１参照）や内壁パネル（図示略）が設けられている。
【００２７】
次に、建物１０の外壁の構成について図１に基づいて説明する。図１は外壁の構成を示す横断面図である。なお、図１では建物１０の一階部分の外壁を示している。
【００２８】
図１に示すように、建物１０において、外壁１３は、複数の外壁パネル１５が横並びに設けられることにより形成されている。外壁パネル１５は、外壁面を形成する外壁面材１６と、外壁面材１６の裏面側（屋内側）に設けられた下地フレーム１７とを有しており、それら外壁面材１６と下地フレーム１７とがネジ等により接合固定されている。外壁面材１６は、窯業系サイディング材等により矩形板状に形成されている。
【００２９】
下地フレーム１７は、鋼材からなる複数のフレーム材１８，１９が矩形枠状に連結されることにより構成されている。下地フレーム１７は、外壁面材１６の幅方向の両端部において上下方向に延びる一対の縦フレーム材１８と、外壁面材１６の上下方向の両端部において横方向（外壁面材１６の幅方向）に延びるとともに各縦フレーム材１８と連結された横フレーム材１９とを有している。下地フレーム１７において、縦フレーム材１８が建物ユニット２０の柱２１にボルト等で固定され、横フレーム材１９が床大梁２３（図１参照）や天井大梁２２（図示を省略）にボルト等で固定されている。これにより、外壁パネル１５が建物ユニット２０に固定されている。
【００３０】
次に、横並びで隣り合う外壁パネル１５の境界部の構成について説明する。図１には、横並びで隣り合う建物ユニット２０の外壁パネル１５間の境界部が示されており、以下においてはかかる境界部の構成について説明する。
【００３１】
横並びで隣り合う建物ユニット２０の外壁パネル１５間の境界部では、互いの縦フレーム材１８が隣接して配置されている。これらの縦フレーム材１８は、コ字状に折り曲げられたコ字状部を有しており、そのコ字状部の溝部を互いに反対側に向けて配設されている。各縦フレーム材１８のコ字状部において互いに対向する各フランジ部１８ａ，１８ｂのうち、屋外側のフランジ部１８ａは外壁面材１６の裏面に固定され、屋内側のフランジ部１８ｂには同フランジ部１８ｂからさらに屋内側へと延びて柱２１の側面に固定された固定板部１８ｄが接続されている。各縦フレーム材１８において両フランジ部１８ａ，１８ｂを接続するウェブ部１８ｃ同士は互いに対向して配置されている。
【００３２】
隣り合う外壁パネル１５において外壁面材１６同士の間、及び縦フレーム材１８（ウェブ部１８ｃ）同士の間にはそれぞれ所定の隙間が形成されており、それら各隙間によって外壁パネル１５間の目地が形成されている。この目地は上下方向に延びる縦目地３１となっており、外壁パネル１５の高さ方向全域に亘って延びている。
【００３３】
縦目地３１には、当該縦目地３１を通じて屋内側へ水が浸入するのを阻止すべく、止水シールとしてのガスケット３２，３３が設けられている。ガスケット３２，３３は、縦目地３１において屋内外に所定の間隔をあけて２つ配置されており、いずれのガスケット３２，３３も縦目地３１に沿って上下に延びるように設けられている。つまり、本実施形態では、縦目地３１の止水処理として二重シール構造が採用されており、縦目地３１における止水効果が高められている。
【００３４】
各ガスケット３２，３３はいずれも定形シールよりなり、ＥＰＤＭ等の弾性を有する樹脂材料により形成されている。各ガスケット３２，３３のうち、ガスケット３２が隣接する外壁面材１６の間に配設され、ガスケット３３が隣接する縦フレーム材１８同士の間に配設されている。つまり、各ガスケット３２，３３のうち、ガスケット３２が屋外側、ガスケット３３が屋内側に配置されており、この点からすると、ガスケット３２を一次ガスケット（一次止水シール）、ガスケット３３を二次ガスケット（二次止水シール）と称することもできる。なお、一次止水シールとして、ガスケット３２（定形シール）に代え、シリコン樹脂等からなる不定形シールを用いてもよい。
【００３５】
上記のような二重シール構造を採用することで、ガスケット３２（一次ガスケット）が経年劣化等することに伴い、雨水等の水が当該ガスケット３２を通過したとしても、ガスケット３３（二次ガスケット）によってその水を受け止めることができる。このため、縦目地３１を通じた屋内側への水の浸入を確実に阻止することが可能となっている。
【００３６】
屋外側の（二次）ガスケット３３についてより詳しく説明すると、ガスケット３３は、隣接する縦フレーム材１８において縦目地３１を挟んで対向し合うウェブ部１８ｃの外側面３６（対向面に相当）の間に挟み込まれて設けられている。ガスケット３３には、それら各縦フレーム材１８のウェブ部１８ｃに向けて突出するリップ３３ａ，３３ｂが屋内外方向に所定の間隔をあけて設けられている。これらのリップ３３ａ，３３ｂはウェブ部１８ｃの外側面３６に密着されており、これにより屋内側への水の浸入が阻止されている。
【００３７】
各リップ３３ａ，３３ｂの間には溝部３３ｃが形成されている。ここで、雨水等の水がガスケット３２を通過してガスケット３３に到達した場合、その水がさらにガスケット３３のリップ３３ａを通過することが考えられるが、その場合、その通過した水はこの溝部３３ｃを通じて流下されることとなる。
【００３８】
次に、外壁１２の下部の構成について図２に基づいて説明する。図２は、外壁１２の下部周辺の構成を示す縦断面図である。なお、図２は図１のＡ−Ａ線断面に相当する。また、図２では便宜上、柱２１の図示を省略している。
【００３９】
図２に示すように、外壁パネル１５の下方には、基礎１１が設けられている。基礎１１は、外壁パネル１５（外壁１３）の幅方向に延びており、その基礎１１の上方には建物１０の一階部分を構成する建物ユニット２０の床大梁２３が設置されている。床大梁２３は、基礎１１に沿って設けられ、その溝部を屋内側に向けて配置されている。床大梁２３と基礎１１の天端１１ａとの間には通気用の隙間２９が設けられており、この隙間２９によって、基礎１１により囲まれた内側空間（すなわち床下空間）と屋外とが連通されている。これにより、隙間２９を通じて床下空間の換気が行われるようになっている。
【００４０】
床大梁２３のウェブ部２３ａには、下地フレーム１７における上下の横フレーム材１９のうち、下側の横フレーム材１９ａが取り付けられている。横フレーム材１９ａは、断面コ字状の軽量形綱（軽溝形綱）よりなり、その溝部を下方に向けて配設されている。横フレーム材１９ａにおいて互いに対向する各フランジ部３４，３５のうち、屋外側のフランジ部３４が床大梁２３のウェブ部２３ａの外側面にボルト３７及びナット３８を用いて固定され、屋内側のフランジ部３５が外壁面材１６の裏面にビス等で固定されている。
【００４１】
横フレーム材１９ａ（詳細には外側フランジ部３５）は、その一部が外壁面材１６よりも下方にはみ出してはみ出し部３５ａとなっている。はみ出し部３５ａには、水切部材４１と防鼠部材４２とがビスにより取り付けられている。水切部材４１と防鼠部材４２とはいずれも外壁面材１６の下方に設けられ、水切部材４１が屋外側、防鼠部材４２が屋内側に配置されている。また、水切部材４１と防鼠部材４２とは、例えば共通のビスによりはみ出し部３５ａに取り付けられている。
【００４２】
水切部材４１は、外壁パネル１５の幅方向に沿った長尺状に形成されており、例えばアルミニウム製の押し出し成形品からなる。水切部材４１は、はみ出し部３５ａに取り付けられた取付部４１ａから屋外側に延びる横板部４１ｂと、横板部４１ｂの屋外側端部から下方に延びる縦板部４１ｃとを有している。縦板部４１ｃは、外壁面材１６の外壁面（表面）よりも屋外側に位置しており、基礎１１の天端１１ａよりも下方に延びている。この場合、外壁面材１６の外壁面を伝って流下した水は横板部４１ｂ及び縦板部４１ｃの表面（水切面）を伝って基礎１１よりも屋外側へ導かれ排出される。
【００４３】
防鼠部材４２は、外壁パネル１５の幅方向に沿った長尺状に形成されており、例えば鋼板よりなる。防鼠部材４２は、基礎１１の天端１１ａと外壁面材１６の下端部との間の隙間を閉鎖するように設けられ、それら両者１１，１６の間を通じて鼠等の小動物が床下空間へ侵入するのを防止している。また、図示は省略するが、防鼠部材４２には、板厚方向に貫通する複数の通気孔が形成されており、それらの通気孔を通じて床下空間の換気が行われるようになっている。なお、これらの通気孔は、鼠等の小動物の侵入を阻止できる程度の大きさで形成されている。
【００４４】
ところで、上述したように、本実施形態では、縦目地３１の止水処理として、二重シール構造が採用されており、雨水等の水が仮に（一次）ガスケット３２を通過したとしても（二次）ガスケット３３によってその水が屋内側に浸入するのを阻止できるようになっている。ここで、ガスケット３３に到達した水は当該ガスケット３３に沿って流下することとなるが、ガスケット３３の下方には基礎１１が配置されているため、ガスケット３３から下方に流れ落ちた水は基礎１１の天端１１ａ上に落ち、その後天端１１ａを伝って床下空間へ流れ込むおそれがある。その場合、床下に湿気が溜まって床材の腐食が促進されるといった不都合が生じるおそれがある。そこで本実施形態では、この点に鑑みて、ガスケット３３から流れ落ちた水を受け止めて屋外へ排出する排水構造を備えている。以下、かかる排水構造について説明する。
【００４５】
図２に示すように、ガスケット３３は、その一部が縦フレーム材１８よりも下方に垂れ下がっており（延出しており）、その垂れ下がった部分が垂下部３９（延出部）となっている。垂下部３９は、鉛直方向にまっすぐに延びた状態で垂れ下がっている。ガスケット３３に沿って流下する水はこの垂下部３９から下方へ流れ落ちることとなる。
【００４６】
垂下部３９から流れ落ちる水を受け止めて屋外に排出するための部材として、排水部材４０が設けられている。排水部材４０は、耐水性に優れた樹脂材料により筒状（管状）に形成されており、より詳しくは円筒状に形成されている。排水部材４０は、全体として上下に延びるように設けられ、その中間部において屈曲されることで、屈曲部を挟んだ上下両側にそれぞれ上側筒部４５（上流側筒部）と下側筒部４６（下流側筒部）とを有している。上側筒部４５は上下方向（鉛直方向）に延びており、下側筒部４６は上側筒部４５の下端部から屋外側に向けて斜め下向きに延びている。
【００４７】
排水部材４０の内部には排水通路４７が形成されている。排水通路４７は、その通路断面が円形状をなしているとともにガスケット３３の横断面（詳細にはガスケット３３の長手方向に対して直交する方向の断面）よりも一回り大きい大きさを有している。排水通路４７は、上側筒部４５の内部に形成された上流通路部４７ａと、下側筒部４６の内部に形成された下流通路部４７ｂとを有する。上流通路部４７ａは、その上端において上方に開放され、下流通路部４７ｂは、その下端（屋外側端部）において下方（及び屋外側）に開放されている。より詳しくは、排水通路４７は、上流通路部４７ａの上端と下流通路部４７ｂの下端とにおいてのみ、換言すると通路延在方向の両端においてのみ外部に開放されている。
【００４８】
上流通路部４７ａには、その上端開口を通じてガスケット３３の垂下部３９が入り込んでいる。具体的には、上側筒部４５は、その上端部が縦フレーム材１８の下端部と同じ高さ位置に設定されており、それ故垂下部３９の上下方向の全域（又は略全域）が上流通路部４７ａに入り込んでいる。垂下部３９が上流通路部４７ａに入り込んだ状態では、垂下部３９の外周面（外表面）と上側筒部４５の内周面との間に隙間４９が存在している。この隙間４９は、垂下部３９の外周全域に亘って存在している。
【００４９】
下側筒部４６は、基礎１１の天端１１ａと外壁面材１６の下端部との間を通じて基礎１１よりも屋外側へ延びており、その屋外側の端部が水切部材４１の縦板部４１ｃの裏側に位置している。これにより、下流通路部４７ｂの下端開口（屋外側端部の開口）である排水口４８は基礎１１よりも屋外側に位置しており、より詳しくは水切部材４１の縦板部４１ｃの裏面に向けて開放される位置に位置している。
【００５０】
ここで、上記の構成において、ガスケット３３に沿って流下した水が当該ガスケット３３の垂下部３９から流れ落ちると、その水は排水部材４０の排水通路４７（詳しくは上流通路部４７ａ）に受け入れられる。そして、その水は排水通路４７を通じて排水口４８へと導かれ、当該排水口４８から基礎１１よりも屋外側に排出される。そして、その水は、水切部材４１の下端部と基礎１１との間の隙間を通じて下方へと流れ排出される。
【００５１】
下側筒部４６は、防鼠部材４２に形成された挿通口５１に挿通されている。挿通口５１は、下側筒部４６の外周形状に合わせた円形状をなしており、その孔径が下側筒部４６の外径よりも大きくなっている。但し、挿通口５１の孔径は、挿通口５１に下側筒部４６が挿通された状態で、下側筒部４６の外周面と挿通口５１の周縁との間に形成される隙間が小動物の侵入を阻止できる程度の大きさとなるように設定されている。
【００５２】
下側筒部４６の外周面には、防鼠部材４２に取り付けられる取付部５２が設けられている、取付部５２は、下側筒部４６の外周面において挿通口５１に挿通される挿通部位に設けられ、本実施形態では当該挿通部位にて下側筒部４６を挟んだ上下両側に一対設けられている。各取付部５２はそれぞれ断面コ字状に形成されており、その溝部５２ａには防鼠部材４２の挿通口５１の周縁部が嵌め込まれている。これにより、取付部５２が防鼠部材４２に取り付けられ、ひいては排水部材４０が防鼠部材４２に対して取付支持されている。
【００５３】
また、かかる排水部材４０の取付状態では、排水部材４０（下側筒部４６）が水切部材４１（縦板部４１ｃ）の下端よりも上方に位置している。このため、排水部材４０は水切部材４１によって屋外側から覆い隠された状態となっている。これにより、排水部材４０が屋外側へ露出することで外壁１３下部の美観が損なわれるのを防止することができる。
【００５４】
以上、詳述した本実施形態の構成によれば、以下の優れた効果が得られる。
【００５５】
排水通路４７を有する排水部材４０を設け、その排水通路４７によりガスケット３３から流れ落ちる水を受け入れて同通路４７を通じてガスケット３３よりも屋外側に導き排出するようにした。これにより、ガスケット３３から流れ落ちた水が屋内側詳しくは床下空間側に浸入するのを防止することができる。また、排水部材４０を筒状に形成し、その内側部分を排水通路４７としたため、ガスケット３３に沿って流下する水の量が多い場合でも、排水通路４７を流れる水を途中であふれさせることなく屋外へ排出することができる。その結果、屋内側への水の浸入を確実に防止することができる。
【００５６】
ガスケット３３において縦フレーム材１８（ウェブ部１８ｃの外側面３６）よりも下方に垂れ下がった垂下部３９を排水通路４７に上方から入り込ませたため、ガスケット３３の垂下部３９から流れ落ちる水を確実に排水通路４７に導く（受け入れる）ことができ、ひいては確実に屋外へ排出することができる。
【００５７】
具体的には、垂下部３９の上下方向全域を排水通路４７に入り込ませたため、垂下部３９から流れ落ちる水をより一層確実に排水通路４７に導く（受け入れる）ことができ、ひいてはより一層確実に屋外へ排出することができる。
【００５８】
排水通路４７を、鉛直方向に延びる上流通路部４７ａと、上流通路部４７ａの下端部から屋外側に延びる下流通路部４７ｂとを有して構成し、垂下部３９を上流通路部４７ａに上方から入り込ませた。この場合、垂下部３９を鉛直方向にまっすぐにした状態で上流通路部４７ａに入り込ませることができる。すなわち、垂下部３９を曲げた状態で上流通路部４７ａに入り込ませる場合には、その曲げた部分からの水の流れ落ちが懸念されるが、垂下部３９をまっすぐにした状態で上流通路部４７ａに入り込ませれば、そのような水の流れ落ちを抑制することができる。そのため、垂下部３９に沿って流下する水を好適に排水通路４７に導くことができる。
【００５９】
排水通路４７（上流通路部４７ａ）の通路断面をガスケット３３の横断面よりも大きくし、垂下部３９を排水通路４７に入り込ませた状態で垂下部３９の外周面と排水部材４０（上側筒部４５）の内周面との間に隙間４９を設けた。この場合、垂下部３９の外周面（外表面）に沿って流下する水をその隙間４９を通じて排水通路４７に導き入れることができる。そのため、垂下部３９に沿って流下する水が上側筒部４５の上端面に当たって排水通路４７の外部に流れ出てしまうのを抑制することができ、その結果垂下部３９に沿って流下する水を好適に排水通路４７に導くことができる。
【００６０】
排水通路４７の排水口４８を基礎１１よりも屋外側に設定したため、ガスケット３３から流れ落ちた水を基礎１１よりも屋外側に排出することができる。これにより、床下空間に水が浸入するのを確実に防止することができる。したがって、床下空間に水が浸入することで、床下空間に湿気が溜まり床材の腐食を促進させるといった不都合が生じるのを確実に防止することができる。
【００６１】
基礎１１と外壁パネル１５（詳しくは外壁面材１６）との間に、それら両者１１，１５間を閉鎖するようにして防鼠部材４２を設け、その防鼠部材４２に排水部材４０の下側筒部４６を挿通させる挿通口５１を形成した。これにより、防鼠部材４２が設けられている構成にあっても、排水部材４０（さらには排水通路４７）を基礎１１よりも屋外側へ延ばすことができ、ひいてはガスケット３３から流れ落ちる水を基礎１１よりも屋外側へ導き排出することができる。
【００６２】
排水部材４０に、当該排水部材４０が挿通口５１に挿通された状態で防鼠部材４２に取り付けられる取付部５２を設けたため、排水部材４０を防鼠部材４２に対して取付支持させることができる。この場合、既設の防鼠部材４２を利用して排水部材４０を支持することができるため、排水部材４０を支持するための支持部材を別途設ける場合と比べて、構成の簡素化を図ることができる。
本発明は上記実施形態に限らず、例えば次のように実施されてもよい。
【００６３】
（１）上記実施形態では、一階部分の外壁パネル１５間の縦目地３１に設けられたガスケット３３に対して本発明の排水構造を適用したが、二階部分の外壁パネル１５間の縦目地に設けられたガスケットに対して本発明の排水構造を適用してもよい。以下、その場合の排水構造について図４に基づいて説明する。
【００６４】
図４に示すように、一階部分の外壁パネル１５（以下、１５Ａとする）と、二階部分の外壁パネル１５（以下、１５Ｂとする）とは上下に並んで設けられており、それら両外壁パネル１５Ａ，１５Ｂ（詳しくは外壁面材１６）の間には横目地６１が形成されている。これら両外壁パネル１５Ａ，１５Ｂの間の境界部には、横目地６１を覆うようにして見切り部材としての胴差６２が設けられている。胴差６２は、横目地６１に沿った長尺状とされ、両外壁パネル１５Ａ，１５Ｂ（詳しくは外壁面材１６）の外壁面に跨がって設けられている。また、胴差６２と両外壁パネル１５Ａ，１５Ｂの外壁面との間にはそれぞれ止水材６３が介在されている。止水材６３は、胴差６２に沿った長尺状をなしており、この止水材６３によって胴差６２と外壁パネル１５Ａ，１５Ｂとの間を通じた屋内側への水の入り込みが防止されている。
【００６５】
二階部分の外壁パネル１５Ｂも、一階部分の外壁パネル１５Ａと同様に、横並びに複数設けられている。外壁パネル１５Ｂは、外壁パネル１５Ａと同じ構成であり、以下においては便宜上、外壁パネル１５Ａを構成する部材の符号にＡを付し、外壁パネル１５Ｂを構成する部材の符号にＢを付す。隣り合う外壁パネル１５Ｂの間の縦目地６５にはガスケット６６が配設されている。ガスケット６６は、隣接する縦フレーム材１８Ｂの間に挟み込まれて設けられ、縦目地６５に沿って上下に延びている。ガスケット６６は、その一部が縦フレーム材１８Ｂよりも下方に垂れ下がっており、その垂れ下がった部分が垂下部６７となっている。
【００６６】
垂下部６７は、排水部材７０の排水通路７１に上方から入り込んでいる。排水部材７０は、上記実施形態の排水部材４０と基本的に同様の構成を有しており、鉛直方向に延びる上側筒部７２と、上側筒部７２の下端部から屋外側に向けて斜め下向きに延びる下側筒部７３とを有している。上側筒部７２の上端部は、上記実施形態の場合とは異なり、縦フレーム材１８Ｂの下端部よりも下方に位置している。これにより、垂下部６７は、その上下方向の一部（下部）のみが排水通路７１（詳しくは上流通路部７１ａ）に入り込んだ状態となっている。
【００６７】
下側筒部７３は、上下に並ぶ外壁面材１６Ａ，１６Ｂ間の横目地６１を通じて外壁面材１６Ａ，１６Ｂよりも屋外側へ延びており、その屋外側の端部（換言すると下端部）が胴差６２の裏面側に位置している。これにより、排水通路７１の下端開口となる排水口７５が外壁面材１６よりも屋外側に位置している。
【００６８】
上記の構成において、ガスケット６６に沿って流下した水が垂下部６７から下方に流れ落ちると、その水が排水通路７１に受け入れられる。そして、その水は排水通路７１を通じて排水口７５へと導かれ、排水口７５から屋外側に向けて排出される。排水口７５から排出された水は胴差６２の裏面と外壁パネル１５Ａの外壁面との間の空間を通じて下方に流れ、最終的に両者６２，１５Ａ間の隙間７８を通じて上記空間の外へと排出される。なお、この隙間７８は、下側の止水材６３が一部切り欠かれることによって形成されている。
【００６９】
したがって、この場合にも、垂下部６７から流れ落ちた水が屋内側（建物内）へ浸入するのを防止することができる。そして、排水部材７０を筒状に形成してその内部を排水通路７１としているため、ガスケット６６に沿って流下する水の量が多い場合でも、排水通路７１を流れる水を途中であふれさせることなく屋外へ導き排出することができる。その結果、屋内側への水の浸入を確実に防止することができる。
【００７０】
また、排水部材７０は、胴差６２によって屋外側から覆い隠されているため、排水部材７０が屋外に露出して外壁パネル１５Ａ，１５Ｂの境界部付近の外観が損なわれてしまうのを防止することができる。
【００７１】
（２）上記実施形態では、排水部材４０を、その中間部で屈曲させて形成したが、これに代えて、湾曲させて形成してもよい。すなわち、排水部材を、下方に向かうにつれて屋外側に湾曲するように形成してもよい。
【００７２】
また、排水部材４０を直線状に形成してもよい。例えば、排水部材４０を、下方に向かうにつれて屋外側に傾斜して延びる直線状とすることが考えられる。その場合でも、ガスケット３３から流れ落ちる水を排水通路に受け入れて、同通路を通じてガスケット３３よりも屋外側へと導くことが可能である。
【００７３】
さらに、排水部材４０は必ずしも円筒状とする必要はなく、四角筒状等他の筒形状としてもよい。要するに、その内部に排水通路４７が形成されれば、筒形状は任意としてよい。
【００７４】
（３）上記実施形態では、ガスケット３３の垂下部３９の上下方向全域を排水通路４７（上流通路部４７ａ）に入り込ませたが、垂下部３９の一部だけを上流通路部４７ａに入り込ませてよい。具体的には、上側筒部４５の上端部を縦フレーム材１８の下端部よりも下方に設定することが考えられ、例えば外壁面材１６の下端部（又は水切部材４１の上部）と同じ高さ位置に設定することが考えられる。この場合であっても、垂下部３９から流れ落ちる水を確実に排水通路４７に導く（受け入れる）ことができ、ひいては確実に屋外へ排出することができる。
【００７５】
また、垂下部３９は必ずしも排水通路４７に入り込ませる必要はない。つまり、排水部材４０（排水通路４７）を垂下部３９よりも下方に、より詳しくは垂下部３９の真下に配置して、垂下部３９から流れ落ちる水を排水通路４７に入り込ませるようにしてもよい。その場合でも、垂下部３９から流れ落ちる水を屋外に排出することができる。
【００７６】
（４）上記実施形態では、排水部材４０を防鼠部材４２に対して取付支持するようにしたが、排水部材４０を防鼠部材４２以外の部材で支持するようにしてもよい。例えば、排水部材４０に、基礎１１（天端１１ａ）上に載置される載置部を設け、その載置部を基礎１１上に載置することで排水部材４０を基礎１１上にて支持するようにしてもよい。
【００７７】
（５）上記実施形態では、排水部材４０の下側筒部４６を基礎１１よりも屋外側まで延ばしたが、基礎１１よりも屋外側まで延ばさないようにしてもよい。例えば、下側筒部４６の屋外側端部を防鼠部材４２よりも屋内側、詳しくは防鼠部材４２の裏面に位置させることが考えられる。その場合、防鼠部材４２に挿通口５１を形成する必要がなく、構成の簡素化を図ることができる。また、かかる場合であっても、排水部材４０の排水口４８より排出される水は防鼠部材４２の通気孔を通じて防鼠部材４２よりも屋外側ひいては基礎１１よりも屋外側へと排出されるため、屋内側への水の浸入を抑制することができる。
【００７８】
（６）上記実施形態では、縦目地３１において屋内外に配設された２つのガスケット３２，３３のうち、屋内側のガスケット３３（すなわち二次ガスケット）に対して本発明の排水構造を適用したが、例えばガスケット３２を不具備として縦目地３１にガスケット３３のみを設けた構成において当該ガスケット３３に本発明の排水構造を適用してもよい。その場合であっても、上記実施形態で得られる効果と同様の効果を得ることができる。
【００７９】
また、上記実施形態では、定形シールよりなるガスケット３３（止水シール）に対して本発明の排水構造を適用したが、止水シールが不定形シールからなる場合においてその不定形シールに本発明を適用してもよい。不定形シールには、垂下部を設けることができないため、不定形シールに本発明を適用する場合、不定形シールの下方に排水部材４０を配置して排水通路４７の上端開口を不定形シールの真下に位置させる。この場合にも、不定形シールに沿って流下して同シールから流れ落ちる水を排水通路４７に受け入れて、同通路４７を通じて屋外側へと導き排出することができる。
【００８０】
（７）上記実施形態では、隣り合う建物ユニット２０の外壁パネル１５間の縦目地３１に配設されたガスケット３３に本発明の排水構造を適用したが、建物ユニット２０の一の側面部にて隣り合う外壁パネル１５間の縦目地に配設されるガスケットに本発明を適用してもよい。
【００８１】
（８）上記実施形態では、ユニット式建物への適用例を説明したが、鉄骨軸組工法により構築される建物等、他の構造の建物にも本発明の排水構造を適用できる。要するに、横並びに隣り合う外壁パネル間の縦目地に止水シールが配設される建物であれば、本発明の排水構造を適用することが可能である。
【符号の説明】
【００８２】
１０…建物、１１…基礎、１５…外壁パネル、２０…建物ユニット、３１…縦目地、３３…止水シール及び定形シールとしてのガスケット、３９…垂下部、４０…排水部材、４１…水切部材、４２…防鼠部材、４７…排水通路、４７ａ…上流通路部、４７ｂ…下流通路部、４８…排水口、５１…挿通口、５２…取付部。
【図１】
2014177771.tif 000003
【図２】
2014177771.tif 000004
【図３】
2014177771.tif 000005
【図４】
2014177771.tif 000006